(57)【要約】  空気力学的動力を硝子体切除術用装置に供給するシステムであって、当該システムは、第一（Ａ）及び第二（Ｂ）出力ポート、出力バルブ（２１０）、遮断バルブ、並びに、３つのマニフォールドを含む。第一及び第二出力ポートは、硝子体切除術用装置に圧縮ガスを供給して動力を与える。出力バルブは、圧縮ガスを第一及び第二出力ポートへ交互に供給する。遮断バルブ（２０５）は、圧縮ガスを出力バルブに供給する。２つのマニフォールドは、出力バルブを第一及び第二出力ポートに流体的に接続する。第三のマニフォールド（２５５）は、遮断バルブを出力バルブに流体的に接続する。遮断バルブが圧縮ガスを出力バルブに供給するとき、出力バルブは、圧縮ガスを第一及び第二出力ポートへ交互に供給するように高速で作動して、空気力学的動力を硝子体切除術用装置に供給する。【選択図】図４
2010539997.tif 000002
【特許請求の範囲】
【請求項１】
硝子体切除術用装置に空気力学的動力を供給するシステムであって、
硝子体切除術用装置に圧縮ガスを供給する、第一出力ポートと、
前記硝子体切除術用装置に圧縮ガスを供給する、第二出力ポートと、
前記第一出力ポート及び前記第二出力ポートに圧縮ガスを交互に供給する、出力バルブと、
前記出力バルブに圧縮ガスを供給する、遮断バルブと、
前記出力バルブを前記第一出力ポートに流体的に接続する、第一排気マニフォールドと、
前記出力バルブを前記第二出力ポートに流体的に接続する、第二排気マニフォールドと、
前記遮断バルブを前記出力バルブに流体的に接続する、第三排気マニフォールドと、
を具備し、
前記遮断バルブが圧縮ガスを前記出力バルブに供給するとき、前記出力バルブは、圧縮ガスを前記第一出力ポート及び前記第二出力ポートに高速で交互に供給して、前記硝子体切除術用装置に動力を供給する、
硝子体切除術用装置に空気力学的動力を供給するシステム。
【請求項２】
さらに、
前記第一排気マニフォールドを介して前記遮断バルブに流体的に接続された、第一排気ポートと、
前記第二排気マニフォールドを介して前記出力バルブに流体的に接続された、第二排気ポートと、
を具備する、請求項1に記載のシステム。
【請求項３】
さらに、
前記第一排気ポートに接続された、第一マフラーと、
前記第二排気ポートに接続された、第二マフラーと、
を具備する、請求項２に記載のシステム。
【請求項４】
さらに、前記出力バルブ近傍に配置された、圧力トランスデューサを具備する、請求項1に記載のシステム。
【請求項５】
さらに、前記出力バルブと前記第一排気ポートとの間に配置された、圧力トランスデューサを具備する、請求項1に記載のシステム。
【請求項６】
前記出力バルブは、前記遮断バルブと前記第一出力ポートとの間に配置される、請求項1に記載のシステム。
【請求項７】
前記出力バルブは、４ウェイ・バルブであり、前記遮断バルブは、２ウェイ・バルブである、請求項1に記載のシステム。
【請求項８】
さらに、前記バルブ及び前記遮断バルブを作動するコントローラを具備する、請求項1に記載のシステム。
【請求項９】
前記コントローラは、さらに、圧力トランスデューサから情報を受け取る、請求項1に記載のシステム。
【請求項１０】
前記出力バルブは、前記硝子体切除術用装置が毎分約５，０００切断で作動するように作動させられる、請求項1に記載のシステム。
【請求項１１】
硝子体切除術用装置に空気力学的動力を供給するシステムであって、
硝子体切除術用装置に圧縮ガスを供給する、第一出力ポートと、
前記硝子体切除術用装置に圧縮ガスを供給する、第二出力ポートと、
前記第一出力ポート及び前記第二出力ポートへ圧縮ガスを交互に供給し、かつ、遮断バルブと前記第一出力ポート及び前記第二出力ポートとの間に配置された、出力バルブへの圧縮ガスの流量を制御する、遮断バルブと、
前記遮断バルブと前記出力バルブとを制御する、コントローラと、
前記出力バルブを前記第一出力ポートに流体的に接続する、第一排気マニフォールドと、
前記出力バルブを前記第二出力ポートに流体的に接続する、第二排気マニフォールドと、
前記遮断バルブを前記出力バルブに流体的に接続する、第三排気マニフォールドと、
を具備し、
前記遮断バルブは、圧縮ガスが前記出力バルブへ流れることができるようにしたとき、前記出力バルブは、圧縮ガスを前記第一出力ポート及び前記第二出力ポートに高速で交互に供給して、前記硝子体切除術用装置に動力を供給する、
硝子体切除術用装置に空気力学的動力を供給するシステム。
【請求項１２】
さらに、
前記第一排気マニフォールドを介して前記遮断バルブに流体的に接続された、第一排気ポートと、
前記第二排気マニフォールドを介して前記出力バルブに流体的に接続された、第二排気ポートと、
を具備する、請求項１1に記載のシステム。
【請求項１３】
さらに、
前記第一排気ポートに接続された、第一マフラーと、
前記第二排気ポートに接続された、第二マフラーと、
を具備する、請求項１２に記載のシステム。
【請求項１４】
さらに、前記出力バルブ近傍に配置された、圧力トランスデューサを具備する、請求項１1に記載のシステム。
【請求項１５】
さらに、前記出力バルブと前記第一排気ポートとの間に配置された、圧力トランスデューサを具備する、請求項1１に記載のシステム。
【請求項１６】
前記出力バルブは、４ウェイ・バルブであり、前記遮断バルブは、２ウェイ・バルブである、請求項1１に記載のシステム。
【請求項１７】
前記コントローラは、さらに、圧力トランスデューサから情報を受け取る、請求項1に記載のシステム。
【請求項１８】
前記コントローラは、前記出力バルブを作動して、前記硝子体切除術用装置を毎分約５，０００切断で作動させる、請求項1１に記載のシステム。
【発明の詳細な説明】
【技術分野】
【０００１】
本発明は、外科処置装置用の空気力学的モジュールに関し、より具体的には、硝子体切除術用装置に力を供給するように製造された空気力学的モジュールに関する。
【背景技術】
【０００２】
硝子体網膜処置は、視界を回復、維持、増強する多様な外科処置を含む。硝子体網膜処置は、これらのおよびその他の眼の後部の深刻な状態を処置するのが適当である。硝子体網膜処置は、加齢に関連した黄斑劣化（ＡＭＤ）、糖尿病による網膜疾患、および、糖尿病の硝子体出血、黄斑孔、網膜剥離、網膜上に成長した膜、ＣＭＶ網膜炎、ならびに、その他多くの眼球の状態等の状態を処置する。
【０００３】
硝子体は、通常、眼の中央を充填する透明でゲル様の物質である。硝子体は、眼の体積の３分の２を構成し、誕生前に形作られる。眼の後部に影響するある疾病では、硝子体切除術あるいは外科的に硝子体の除去する必要がある。
【０００４】
硝子体切除術は、血液と壊死組織片（debris）を取り除き、瘢痕組織を取り除き、あるいは、網膜上の摩擦を軽減するために実施することができる。血液、炎症を起こした細胞、および、瘢痕組織は、眼を通過して網膜に至る際、光をかすませて、結果としてぼんやりとしたかすんだ視界をもたらす。硝子体は、その通常の位置から網膜を引張っているあるいは強く引くときも取り除かれる。硝子体切除術が必要な、最も共通的な眼の疾病のいくつかは、網膜剥離あるいは出血、黄斑孔、網膜剥離、網膜前方膜繊維症、眼内出血（硝子体液流出）、損傷あるいは感染、および、に以前の眼の手術に関連するある疾病のような糖尿病性の網膜症に起因する複雑性を含んでいる。
【０００５】
網膜外科医は、眼後部の鮮明な画像を提供するように製造された顕微鏡と特別なレンズを使用して硝子体切除術を実行する。強膜に長さが数ミリ程度の小さな切開口が形成される。網膜外科医は、眼の中を照明する光ファイバー源、外科処置中に眼の形状を維持するための注入ライン、および、硝子体を切除する器具のような顕微外科手術用器具をこの切開口を通して挿入する。
【０００６】
硝子体切除術において、外科医は、３つの物理的に独立した器具用の３つの小さな切開口を眼に形成する。これらの切開口は、虹彩のちょうど後ろで網膜の前に位置する、眼の扁平部に配置される。これらの切開口を通過するこれらの器具は、光パイプ、注入ポート、および、硝子体切除術用の切除装置を含んでいる。光パイプは、眼の内部で使用するための顕微高強度フラッシュライトと等価物である。注入ポートは、眼の中の流体を交換し、眼の中で適当な圧力を維持するためのものである。硝子体切除術用装置のあるいは切除装置は、硝子体ゲルをゆっくりと制御された態様で除去する振動兼備カッターを備えて、小さなギロチンのようなものとして機能する。これによって、硝子体液除去中の網膜上の深刻な摩擦を防止する。
【０００７】
眼の後部に硝子体切除術及びその他外科処置を施すのに使用される外科処置装置は、非常に複雑である。通常、このような眼科用外科装置は、多くの異なるツールが取り付けられるメインコンソールを含んでいる。メインコンソールは、取り付けられたツールに動力を供給してその操作を制御する。
【０００８】
取り付けられたツールは、通常、プローブ、はさみ、鉗子、照明器、および、注入ラインを備えている。これらのツールの各々は、通常、メインの外科処置コンソールに取り付けられる。メインの外科処置コンソール内のコンピュータは、これらのツールの操作を監視して制御する。これらのツールは、メインの外科処置コンソールから動力も得る。これらのツールのいくつかは電力を供給され、これらのツールの別のいくつかは空気力学的動力を供給される。
【０００９】
様々なツールに空気力学的な動力を供給するために、メイン外科処置コンソールは、空気力学的あるいは空気分配モジュールを有している。空気力学的モジュールは、圧縮空気あるいは圧縮ガスの状態を整えてこれを供給してツールに動力を供給する。通常、空気力学的モジュールは、圧縮ガスを含むシリンダーに接続されている。空気力学的モジュールは、適当なガス圧を供給して取付けられたツールを適当に作動させなければならない。
【００１０】
特に、１つのツールである、硝子体除去術用装置は、硝子体除去術中に硝子体を切断して取り除くのに使用される。一般に、硝子体除去術用装置をより高速で作動すると、硝子体除去術をより迅速に行うことができる。最小の部品数で、硝子体除去術用装置が高速で作動できるように、空気力学的モジュールが硝子体除去術用装置に動力を供給するようにさせることが望まれる。
【発明の概要】
【００１１】
本発明の原理に整合する１つの実施態様において、本発明は、硝子体切除術用装置に空気力学的動力を供給するシステムである。このシステムは、第一出力ポート、第二出力ポート、出力バルブ、遮断バルブ、及び、３つのマニフォールドを具備する。第一出力ポートと第二出力ポートは、硝子体切除術用装置に圧縮ガスを供給して動力を与える。出力バルブは、第一出力ポート及び第二出力ポートに圧縮ガスを交互に供給する。遮断バルブは、前記出力バルブに圧縮ガスを供給する。２つのマニフォールドは、前記出力バルブを第一出力ポート及び第二出力ポートに流体的に接続する。３番目のマニフォールドは、遮断バルブを出力バルブに流体的に接続する。遮断バルブが圧縮ガスを出力バルブに供給するとき、出力バルブは、圧縮ガスを第一出力ポート及び第二出力ポートに交互に高速で供給して、硝子体切除術用装置に動力を供給する。
【００１２】
本発明の原理に整合する別の１つの実施態様において、本発明は、硝子体切除術用装置に空気力学的動力を供給するシステムである。このシステムは、第一出力ポート、第二出力ポート、出力バルブ、遮断バルブ、コントローラ、及び、３つのマニフォールドを具備する。第一出力ポートと第二出力ポートは、硝子体切除術用装置に圧縮ガスを供給して動力を与える。出力バルブは、第一出力ポート及び第二出力ポートに圧縮ガスを交互に供給する。遮断バルブは、前記出力バルブに圧縮ガスを供給する。出力バルブは、遮断バルブと第一出力ポート及び第二出力ポートとの間に配置される。２つのマニフォールドは、前記出力バルブを第一出力ポート及び第二出力ポートに流体的に接続する。３番目のマニフォールドは、遮断バルブを出力バルブに流体的に接続する。遮断バルブが圧縮ガスが出力バルブに流れることができるようにするとき、出力バルブは、圧縮ガスを第一出力ポート及び第二出力ポートに交互に高速で供給して、硝子体切除術用装置に動力を供給する。コントローラは、遮断バルブと前記出力バルブとを制御する。
【００１３】
以上の一般的な記載は以下の詳細な記載と共に例示であって説明の目的のためにのみのものであり、請求項に記載した本発明をさらに詳細に説明することを意図するものであることは理解されるべきである。本発明の実施と同様に、以下の記載は本発明のさらなる作用効果と目的を記述し示唆するものである。
【図面の簡単な説明】
【００１４】
以下の添付図面は、本明細書に取り込まれその部分を構成するものであって、明細書の記載と共に、いくつかの本発明の実施態様を例示説明して、本発明の原理を説明するものである。
【図１】本発明の１つの実施態様にしたがった、空気力学的動力を持った眼科外科処置用装置のブロック図である。
【図２】本発明の１つの実施態様にしたがった、空気力学的動力を持った眼科外科処置用装置用の空気力学的システムの概略図である。
【図３】本発明の１つの実施態様にしたがった、空気力学的動力を持った眼科外科処置用システムの、コントローラ、バルブ、および、トランスデューサ部の概略図である。
【図４】本発明の１つの実施態様にしたがった、空気力学的システムの斜視図である。
【図５】本発明の１つの実施態様にしたがった、空気力学的システムの底面斜視図である。
【図６】本発明の１つの実施態様にしたがった、空気力学的システムの上面図である。
【発明を実施するための形態】
【００１５】
その実施例は添付の図面に示されている本発明の例示的な実施態様を以下詳細に説明する。可能な限り、全図面を通して同じあるいは同様の部分を参照するのに同じ参照番号が使用されている。
【００１６】
図１は、本発明の１つの実施態様にしたがった、空気力学的動力を持った眼科外科処置用装置のブロック図である。図１において、その装置は、ガス圧監視システム１１０、比例コントローラ１２０、１３０、並びに、ツール１４０、１５０、１６０、及び、１７０を含む。ツール１４０、１５０、１６０、及び、１７０は、例えば、はさみ、硝子体除去器、鉗子、注入あるいは吸引モジュールであることもできる。その他ツールも、図1に示した装置とともに使用することができる。
【００１７】
図1に示されるように、ガス圧監視システム１１０は、流体的にマニフォールドを介して比例コントローラ１２０、１３０に接続されている。単一のマニフォールドで、ガス圧監視システム１１０を比例コントローラ１２０、１３０に接続することができる。あるいは、２つの物理的に分離したマニフォールドで、ガス圧監視システム１１０をそれぞれ比例コントローラ１２０、１３０に接続することができる。
【００１８】
作動中、図１の空気力学的な動力を持った外科処置用の装置は、硝子体切除術のような様々な外科処置を実行する際に医師を支援するように作動する。窒素などの圧縮ガスは、ツール１４０、１５０、１６０、及び、１７０に動力を供給する。圧縮ガスは、ガス圧監視システム１１０を通過し、1つあるいはそれ以上のマニフォールドを介して比例コントローラ１２０、１３０へ通過し、付加的なマニフォールド又はチューブを介してツール１４０、１５０、１６０、及び、１７０に通過する。
【００１９】
ガス圧監視システム１１０は、装置に入るときにガス源からの圧縮ガスの圧力を監視するように機能する。比例コントローラ１２０、１３０は、ガス圧監視システム１１０から受けた圧縮ガスを分配する。比例コントローラ１２０、１３０は、ツール１４０、１５０、１６０、及び、１７０に送られる空気力学的な動力を制御する。様々なバルブ、マニフォールド、及び、チューブは、ガス圧監視システム１１０から、比例コントローラ１２０、１３０を経て、ツール１４０、１５０、１６０、及び、１７０へ向けて、圧縮ガスを送り出すのに使用される。この圧縮ガスが、例えば、ツール１４０、１５０、１６０、及び、１７０内のシリンダーを作動させる。
【００２０】
図２は、本発明の１つの実施態様にしたがった、空気力学的動力を持った眼科外科処置用装置用の空気力学的システムの概略図である。図２において、圧力監視システムは、遮断バルブ２０５、出力バルブ２１０、圧力トランスデューサ２１５及び２２０、マフラー２２５及び２３０、排気マニフォールド２３５、及び２４０、マニフォールド２４５、２５０、２５５及び２６０、及び、出力ポートＡとＢを含む。
【００２１】
排気マニフォールド２３５は、遮断バルブ２０５をマフラー２３０に流体的に接続する。マニフォールド２４５もまた、遮断バルブ２０５接続されている。遮断バルブ２０５は、マニフォールド２５０によって出力バルブ２１０に流体的に接続されている。排気マニフォールド２４０は、出力バルブ２１０をマフラー２２５に流体的に接続する。マニフォールド２２５は、出力バルブ２１０を出力ポートＡに流体的に接続する。マニフォールド２６０は、出力バルブ２１０を出力ポートＢに流体的に接続する。圧力トランスデューサ２１５は、マニフォールド２５５に流体的に接続されている。同様に、圧力トランスデューサ２２０は、マニフォールド２６０に流体的に接続されている。
【００２２】
図２の実施態様では、遮断バルブ２０５は、標準２ウェイバルブである。よく知られているように、そのバルブは、バルブを図２に示した２つの位置の１つに移動するように作動するソレノイドを有している。図示されているように、そのバルブは排気位置にある。圧縮ガスは、マニフォールド２５０から、遮断バルブ２０５を通って、排気マニフォールド２３５を通って、そして、マフラー２３０から出る。もう一方の位置においては、遮断バルブ２０５によって、圧縮ガスは、マニフォールド２４５から、遮断バルブ２０５を通って、硝子体切除術用プローブ（図示しない）に動力を供給できる排気マニフォールド２５０に入ることができる。遮断バルブ２０５は、コントローラ（図示しない）によって制御される。
【００２３】
出力バルブ２１０は、標準４ウェイバルブである。よく知られているように、そのバルブは、バルブを図２に示した２つの位置の１つに移動するように操作するソレノイドを有している。図２に図示されているように、そのバルブは、圧縮ガスを出力ポートＡに供給して圧縮ガスを出力ポートＢから排気する位置にある。この位置では、圧縮ガスは、マニフォールド２５０から、出力バルブ２１０を通って、マニフォールド２５５を通って、硝子体切除術用装置（図示しない）に空気力学的動力を供給できる圧縮ガス出力ポートＡへ通過できる。マニフォールド２６０内の加圧ガスは、出力バルブ２１０、排気マニフォールド２４０、及び、大気中に排気するマフラー２２５を通って通過できる。別の位置では、出力バルブ２１０によって、圧縮ガスは、マニフォールド２５０から、出力バルブ２１０を通って、マニフォールド２６０を通って、硝子体切除術用装置（図示しない）に空気力学的動力を供給できる出力ポートＢへ通過できる。マニフォールド２５５内の加圧ガスは、出力バルブ２１０、排気マニフォールド２４０、及び、大気中に排気するマフラー２２５を通って通過できる。出力バルブ２１０は、コントローラ（図示しない）によって制御される。
【００２４】
出力ポートＡ及びＢに取付られている硝子体切除術用装置（図示しない）は、切断装置として機能する。カッターは、加圧ガスによって動かされるシリンダーによって動かされる。シリンダーは、加圧ガスが出力ポートＡ及びＢに交互に向けられるとともに振動する。このような硝子体切除術用装置は、毎分５，０００切断できるように設計製造される。
【００２５】
圧力トランスデューサ２１５、及び、２２０は、それぞれ、マニフォールド２５５、及び、２６０内に含まれるガスの大気圧を読み取るように作動する。換言すれば、圧力トランスデューサ２１５は、マニフォールド２５５内のそれに隣接している圧縮ガスの圧力を読み取る。同様に、圧力トランスデューサ２２０は、マニフォールド２６０内のそれに隣接している圧縮ガスの圧力を読み取る。図２の実施態様では、圧力トランスデューサ２１５、及び、２２０は、一般的な圧力トランスデューサである。圧力トランスデューサ２１５、及び、２２０は、圧縮ガスの圧力を読み取って、圧縮ガスの圧力に関する情報を含む電気信号をコントローラ（図示しない）に送信することができる。
【００２６】
マニフォールド２３５、２４０、２４５、２５０、２５５、及び、２６０は、すべて圧縮ガスを伝播するように構成されている。図2の実施態様では、これらのマニフォールドは、アルミニウムなどの金属から機械加工されている。これらのマニフォールドは、気密性を有し、様々なフィッティング及びカップリングを備えており、比較的高い圧力に耐えられるように製造されている。これらのマニフォールドは、個別の部分品として製造されることもでき、あるいは、１つの単体製品として製造されることもできる。例えば、マニフォールド２３５、２４０、２４５、２５０、２５５、及び、２６０は、アルミニウムの１つの塊から機械加工されることができる。
【００２７】
マフラー２２５、及び、２３０は、開放されるガスが生成するノイズを抑えるように製造された一般的なマフラーである。このマフラーは、通常、シリンダー形状をなしている。
【００２８】
作動時、加圧ガスは、出力ポートＡ及びＢに交互に向けられて硝子体切除術用装置を作動する。遮断バルブ２０５は、加圧ガスがマニフォールド２４５から遮断バルブ２０５を通ってマニフォールド２５０に入ることができる位置で作動させられる。出力バルブ２１０は２つの位置の間を非常に高速に行き来して加圧ガスを出力ポートＡ及びＢ供給する。ひとつの位置では、加圧ガスは、マニフォールド２５０から出力バルブ２１０を通ってマニフォールド２５５を通って、加圧ガスが硝子体切除術用装置（図示しない）に空気力学的動力を供給する出力ポートＡへ通過することができる。マニフォールド２６０内の加圧ガスは、出力バルブ２１０、排気マニフォールド２４０、及び、大気中に排気するマフラー２２５を通って通過できる。もうひとつの位置では、出力バルブ２１０によって、圧縮ガスは、マニフォールド２５０から、出力バルブ２１０を通って、マニフォールド２６０を通って、加圧ガスが硝子体切除術用装置（図示しない）に空気力学的動力を供給する出力ポートＢへ通過することができる。マニフォールド２５５内の加圧ガスは、出力バルブ２１０、排気マニフォールド２４０、及び、大気中に排気するマフラー２２５を通って通過できる。
【００２９】
このようにして、マニフォールド２６０内の加圧ガスはマフラー２２５が取付けられている排気ポートを通して排気できるようにされながら、加圧ガスは出力ポートＡに供給される。同様に、マニフォールド２５５内の加圧ガスはマフラー２２５が取付けられている排気ポートを通して排気できるようにされながら、加圧ガスは出力ポートＢに供給される。選択された出力バルブが高速に応答することで、加圧ガスは、マニフォールド２５５とマニフォールド２６０との間を高速で行き来できる。これにより、硝子体切除術用装置（図示しない）は、ほぼ毎分５，０００切断の高速切断レートで作動することができる。
【００３０】
図３は、本発明の１つの実施態様にしたがった、空気力学的動力を持った眼科外科処置用装置用の空気力学的システムの、コントローラ、バルブ、および、トランスデューサ部の概略図である。図３において、コントローラ３００とインターフェイス３０５、３１０、３１５、及び、３２０は、遮断バルブ２０５、出力バルブ２１０、及び、圧力トランスデューサ２１５及び２２０とともに図示されている。
【００３１】
図３の実施態様では、コントローラ３００は、インターフェイス３０５及び３１０を介してそれぞれ圧力トランスデューサ２１５及び２２０から圧力情報を受取る。このようにして、圧力トランスデューサ２１５は、コントローラ３００にインターフェイス３０５を介して電気的に接続され、圧力トランスデューサ２２０は、コントローラ３００にインターフェイス３１０を介して電気的に接続される。コントローラ３００は、遮断バルブ２０５、及び、出力バルブ２１０にそれぞれインターフェイス３１５、及び、３２０を介して制御信号を送信する。
【００３２】
コントローラ３００は、通常、論理機能を実行できる集積回路である。このように、コントローラ３００は、電源ピン、入力ピン、及び、出力ピンを備えた標準集積回路パッケージの形態をとっている。いくつかの実施態様では、コントローラ３００は、バルブコントローラあるいは目的の装置を制御するコントローラである。このような場合、コントローラ３００は、バルブなどの特定の装置に対して特定の制御機能を実行する。他の実施態様では、コントローラ３００は、マイクロプロッセサである。このような場合、コントローラ３００は、バルブとともに装置の他の構成物を制御するように機能できるようにプログラムすることが可能である。その他の場合には、コントローラ３００は、プログラムすることが可能ではないマイクロプロッセサであるが、その代わりに、異なる機能を実行する異なるバルブを制御するように構成された特定の目的のためのマイクロプロッセサである。
【００３３】
コントローラ３００は、圧力トランスデューサ２１５からインターフェイス３０５を介して、及び、圧力トランスデューサ２２０からインターフェイス３１０を介して、信号を受取るように構成されている。これらの信号は、例えば、マニフォールド２５５、２６０内のガス圧の読み値にそれぞれ対応している。コントローラ３００は、インターフェイス３１５、及び、３２０を介してそれぞれ遮断バルブ２０５、及び、出力バルブ２１０に出力信号を送信するようにも構成されている。これらの出力信号によって、コントローラ３００は、遮断バルブ２０５、及び、出力バルブ２１０の作動を制御することができる。
【００３４】
インターフェイス３０５、及び、３１０は、圧力トランスデューサ２１５、及び、２２０からコントローラ３００へ信号を伝播するように製造されている。このような場合、インターフェイス３０５、及び、３１０は、ワイヤなどの一般的な電気伝導体である。同様に、インターフェイス３１５、及び、３２０は、コントローラ３００から遮断バルブ２０５、及び、出力バルブ２１０へ信号を伝播する。インターフェイス３０５、３１０、３１５、及び、３２０は、１つあるいはそれ以上のワイヤ、バス、トレース、あるいは、電気信号あるいはデータ信号を伝播するように製造されたこれらと類似のものであることもできる。
【００３５】
図４は、本発明の１つの実施態様にしたがった、空気力学的システムの斜視図である。図４の空気力学的システムは、遮断バルブ２０５、出力バルブ２１０、マフラー２２５及び２３０、および、出力ポートＡ及びＢを示している。一連のアルミニウムの１つの塊から機械加工されたマニフォールドを介して、これらの様々の部品は接続されている。図４の空気力学的システムの動作と特徴は、図２、３に関して以上に記載したものと同様である。
【００３６】
図５は、本発明の１つの実施態様にしたがった、空気力学的システムの底面斜視図である。図５の空気力学的システムは、圧力トランスデューサ２１５及び２２０、マフラー２２５及び２３０、マニフォールド２３５、２４５、２５５、及び２６０、並びに、出力ポートＡとＢを示している。これらの様々なマニフォールドは、アルミニウムの１つの塊から機械加工されている。図５の空気力学的システムの動作と特徴は、図２、３に関して以上に記載したものと同様である。
【００３７】
図６は、本発明の１つの実施態様にしたがった、空気力学的システムの上面図である。図６の空気力学的システムは、図６の空気力学的システムは、マフラー２２５及び２３０、マニフォールド２３５、２４０、２４５、２５０、２５５、及び２６０、並びに、出力ポートＡとＢを示している。これらの様々なマニフォールドは、アルミニウムの１つの塊から機械加工されている。図６の空気力学的システムの動作と特徴は、図２、３に関して以上に記載したものと同様である。
【００３８】
以上の記載より、本発明が、硝子対切除装置に空気力学的動力を供給する改良されたシステム及び方法を提供することが理解されると思われる。本発明は、最小部品数で、圧縮ガスの高速に供給することを可能にする。ここでは、本発明は例として説明され、当該技術分野の当業者によって様々な変形態様がなされることができると思われる。
【００３９】
本明細書を考慮して以上に開示された本発明を実施すれば、本発明の他の多くの実施態様は当該技術分野の当業者にとって明らかであると思われる。本明細書を実施例は単に例示であり、本願発明の真の範囲と思想は以下の請求項に示されることを意図するものである。
【図１】
2010539997.tif 000003
【図２】
2010539997.tif 000004
【図３】
2010539997.tif 000005
【図４】
2010539997.tif 000006
【図５】
2010539997.tif 000007
【図６】
2010539997.tif 000008
【国際調査報告】
2010539997.tif 000009
2010539997.tif 000010